(57)【特許請求の範囲】
【請求項１】
人体に接触して加熱を行う温熱部、及び該温熱部の加熱動作を制御する制御部を備えた睡眠制御システムにおいて、
前記温熱部は、
少なくとも人体の肩口から臀部までの上半身に対応する大きさに形成されるものであり、
起床予定時刻の９０〜１５０分前である加熱開始時刻から起床予定時刻の３０分前より後の所定時刻までの間に、設定温度を３６〜４１℃として加熱し、該所定時刻から起床予定時刻までの間は加熱を停止すると共に、就寝後又は就寝後の一定時間経過後から加熱開始時刻までの間に設定温度を３３℃より高い温度では加熱しないことを特徴とする睡眠制御システム。
【請求項２】
前記温熱部は、就寝後又は就寝後の一定時間経過後から加熱開始時刻までの間に加熱を行わないことを特徴とする請求項１に記載の睡眠制御システム。
【請求項３】
前記温熱部は、人体の下方の位置に設置されることを特徴とする請求項１または２に記載の睡眠制御システム。
【請求項４】
前記睡眠制御システムは、人体の振動を検知する振動センサを有し、
前記制御部は、前記振動センサからの情報に基づいて、前記温熱部の加熱する時間及び温度を設定することを特徴とする請求項１から３のいずれか１項に記載の睡眠制御システム。
【請求項５】
前記睡眠制御システムは、音声が出力される音声器を有し、
前記制御部は、起床予定時刻に、前記音声器から起床予定時刻のアラームとなる音声が出力されることを特徴とする請求項１から４のいずれか１項に記載の睡眠制御システム。
【発明の詳細な説明】
【技術分野】
【０００１】
本発明は、睡眠制御システムに関し、特に、快適に起床させるための睡眠制御システムに関する。
【背景技術】
【０００２】
現代人は、睡眠時間が減少傾向にある一方で、社会活動を推進するために、朝のほぼ決まった時間に起床することを余議なくされている。多くの人々は、目覚まし時計等を使ってほぼ強制的に起床しているため、寝不足感、睡眠惰性、及び起床直後の行動低下等が生じている。このような問題を改善するための睡眠制御温熱器具として、次のものが開示されている。
【０００３】
図１４は、特許文献１に開示された睡眠制御電気毛布の概略構成を示す図である。毛布本体１０１は、上部ヒータ１０２によって人体の上半身を加熱し、下部ヒータ１０３によって人体の下半身を加熱する。また、上部温度センサ１０４によって上半身の加熱温度を検知し、下部温度センサ１０５によって下半身の加熱温度を検知する。コントローラ１０６は、上部温度センサ１０４及び下部温度センサ１０５の検知結果に基づいて、上部ヒータ１０２及び下部ヒータ１０３の加熱温度を調整する。
【０００４】
図１５は、特許文献１に開示された睡眠制御電気毛布において、上半身及び下半身の加熱温度の変化を表すタイムチャートである。起床４５分前から起床までの起床モードにおいて、上半身の加熱温度が３７℃〜３８℃に調整されると共に、下半身の加熱温度が３１℃〜３３℃に調整されることによって、足からの放熱が抑制されて、体幹部の温度が上昇する。睡眠中の人体の覚醒度が徐々に上昇し、ノンレム睡眠からレム睡眠に移行した状態で、睡眠から目覚めることになる。
【先行技術文献】
【特許文献】
【０００５】
【特許文献１】特許第３９６０７７２号公報
【発明の概要】
【発明が解決しようとする課題】
【０００６】
しかしながら、特許文献１に開示された睡眠制御電気毛布では、起床４５分前から体温を上昇させているため、約９０分間のレム・ノンレム睡眠の周期を考えると、レム睡眠の時間帯に体温を上昇させることができない場合があり、快適な起床状態を得るのに十分ではない。人の睡眠リズムは、人体の持つ固有のものであり、容易に変えられるものではない。例えば、起床予定時刻の５５分前にレム睡眠が発現した場合、１０分後の４５分前から加熱を行ったとしても、起床時までレム睡眠が５５分ほども続くことはない。つまり、短時間の加熱によるレム睡眠発現は偶然に頼る部分が多い。よって、特許文献１に開示された睡眠制御電気毛布では、快適な起床状態を得るのには不適切である。
【０００７】
本発明は、上記の問題に鑑みてなされたものであり、その目的は、適切な時間帯に体温を上昇させて、快適な起床状態を得ることが可能な睡眠制御システムを提供することにある。
【課題を解決するための手段】
【０００８】
本発明に係る睡眠制御システムは、人体に接触して加熱を行う温熱部、及び温熱部の加熱動作を制御する制御部を備えた睡眠制御システムにおいて、温熱部は、起床予定時刻の９０〜１５０分前である加熱開始時刻から起床予定時刻までの間に３６〜４１℃で加熱すると共に、就寝後又は就寝後の一定時間経過後から加熱開始時刻までの間に３３℃より高い温度では加熱しないことを特徴としている。
【０００９】
本発明の一実施態様においては、温熱部は、就寝後又は就寝後の一定時間経過後から加熱開始時刻までの間に加熱を行わなくても良い。
【００１０】
本発明の一実施態様においては、温熱部は、人体の下方の位置に設置されても良い。
【００１１】
本発明の一実施態様においては、温熱部は、人体の肩口から臀部までの上半身に対応する大きさに形成されても良い。
【００１２】
本発明の一実施態様においては、睡眠制御システムは、人体の振動を検知する振動センサを有し、制御部は、振動センサからの情報に基づいて、温熱部の加熱する時間及び温度を設定しても良い。
【００１３】
本発明の一実施態様においては、睡眠制御システムは、音声が出力される音声器を有し、制御部は、起床予定時刻に、音声器から起床予定時刻のアラームとなる音声が出力されても良い。
【発明の効果】
【００１４】
本発明に係る睡眠制御システムは、適切な時間帯に体温を上昇させて、快適な起床状態を得ることができる。
【図面の簡単な説明】
【００１５】
【図１】実施形態１の睡眠制御システムの概略斜視図である。
【図２】実施形態１の制御部の構成を示すブロック図である。
【図３】実施形態１の睡眠制御システムの動作を説明するためのフローチャートである。
【図４】実施形態１の温熱部の加熱温度、及び人体の体温の変化を示す図である。
【図５】実施形態１の睡眠制御システムの効果を説明するための図である。
【図６】実施形態２の睡眠制御システムの概略斜視図である。
【図７】実施形態２の制御部の構成を示すブロック図である。
【図８】実施形態２の睡眠制御システムの動作を説明するためのフローチャートである。
【図９】実施形態３の制御部の構成を示すブロック図である。
【図１０】実施形態３の睡眠制御システムの動作を説明するためのフローチャートである。
【図１１】実施形態４の温熱部の加熱温度の変化を示す図である。
【図１２】実施形態５の温熱部の加熱温度の変化を示す図である。
【図１３】実施形態６の温熱部の加熱温度の変化を示す図である。
【図１４】特許文献１の睡眠制御電気毛布の概略構成を示す図である。
【図１５】特許文献１の睡眠制御電気毛布において、上半身及び下半身の加熱温度の変化を表すタイムチャートである。
【発明を実施するための形態】
【００１６】
〔実施形態１〕
実施形態１に係る睡眠制御システム１について、図面を参照して説明すれば、以下の通りである。
【００１７】
図１は、本実施形態に用いられる睡眠制御システム１の概略斜視図である。本実施形態の睡眠制御システム１は、人体の加熱を行う温熱部２、及び温熱部２の加熱動作を制御する制御部３を備える。
【００１８】
温熱部２は、敷布団４の上方、かつ人体の下方の位置となるように設置される。そして、温熱部２は、ニクロム線を用いて熱を発生させて、人体に接触して熱を加えるようになっている。また、本実施形態では、温熱部２は、人体の肩口から足までの範囲を加熱する様な大きさに形成されている。
【００１９】
人体に熱を加えるやり方として、エアコン等のように気温そのものを上昇させるやり方もある。しかし、睡眠中の気温上昇に対して、人は不快と感じてしまい、睡眠途中での覚醒に繋がり、睡眠の質を低下させてしまうことになる。そのため、エアコン等を温熱部２として使用することは不適切である。本実施形態では、温熱部２が人体に接触して加熱を行っている。尚、人体に温熱部２を接触させるとは、人体及び温熱部２を直接接触させることだけではなく、人体及び温熱部２の間に衣類やシーツ類等が介在する場合も含まれ、温熱部２が敷布団内に埋め込まれて設置され人体との間に中綿等が介在する場合も含まれる。つまり接触とは模式的に物質が介在する場合を含む。
【００２０】
図２は、本実施形態に用いられる制御部３の構成を示すブロック図である。制御部３は、ＣＰＵからなる制御回路５、制御回路５からの情報に基づいて温熱部２を加熱させるための駆動回路６、実時間を計測するクロック７、使用者が起床予定時刻等を入力するための入力器８、及び設定条件等を表示する表示器９を有する。そして、制御部３は、起床予定時刻に対応して、温熱部２の加熱温度や作動時間を制御する。尚、制御回路５内には、起床予定時刻等の設定条件を記憶するために、図示しないメモリを設けている。
【００２１】
図３は、本実施形態に用いられる睡眠制御システム１の動作を説明するためのフローチャートである。図４は、本実施形態に用いられる温熱部２の加熱温度、及び人体の体温の変化を示す図である。図４（ａ）は、温熱部２の加熱温度、及び人体の体温の変化を示しており、図４（ｂ）は、温熱部２の加熱温度の変化について加熱開始から起床予定時刻までを示している。図５は、本実施形態に用いられる睡眠制御システム１の効果を説明するための図である。
【００２２】
図３に示す様に、Ｓ０ステップでは、就寝する前に使用者が電源をオンして、睡眠制御システム１の動作が開始となる。
【００２３】
Ｓ１ステップでは、使用者が入力器８を用いて入力することにより、制御回路５で起床予定時刻が設定される。
【００２４】
Ｓ２ステップでは、クロック７を通じて、制御回路５で現在時刻の確認が行われる。
【００２５】
Ｓ３ステップでは、制御回路５で現在時刻が起床予定時刻の１２０分前であると判定する、すなわちＹｅｓの場合はＳ４ステップへ移行し、Ｎｏの場合はＳ２ステップへ移行する。
【００２６】
Ｓ４ステップでは、駆動回路６から発生する信号に応じて、温熱部２で加熱が開始される。尚、本実施形態では、温熱部２の加熱温度を４０℃としている。
【００２７】
Ｓ５ステップでは、クロック７を通じて、制御回路５で現在時刻の確認が行われる。
【００２８】
Ｓ６ステップでは、制御回路５で現在時刻が起床予定時刻であると判定する、すなわちＹｅｓの場合はＳ７ステップへ移行し、Ｎｏの場合はＳ５ステップへ移行する。
【００２９】
Ｓ７ステップでは、駆動回路６から発生する信号に応じて、温熱部２で加熱が停止される。
【００３０】
Ｓ８ステップでは、起床した後に使用者が電源オフして、睡眠制御システム１の動作が終了となる。
【００３１】
本実施形態では、Ｓ３及びＳ４ステップに基づいて、温熱部２は、起床予定時刻の１２０分前から４０℃で加熱を行っているが、その理由について下記に説明を行う。
【００３２】
図４（ａ）では、温熱部２で加熱を行わない場合を比較例として示している。比較例に示す様に、人体の体温は、概日リズムをもっており、就寝前から体温が下がりはじめ、数時間かけて起床前までに約１〜１．５℃低下し、その後に体温が上がっていくことが知られている。尚、体温の低下が阻害される場合には、中途覚醒が増加するなど睡眠効率が悪くなって、睡眠に支障を来すことになる。
【００３３】
また、睡眠中において、浅い眠りのレム睡眠、及び深い睡眠のノンレム睡眠を約９０分周期で繰り返すことが知られている。１周期当たりのレム睡眠の時間は約１０〜３０分、ノンレム睡眠の時間は約６０〜８０分であると言われている。レム睡眠の時間帯は、自律神経が活性化されて、ノンレム睡眠の時間帯よりも血流が良くなる。
【００３４】
本実施形態では、レム睡眠の発現する周期が９０分周期であり、温熱部２の温度上昇安定時間として３０分が必要であること考慮して、起床予定時刻の１２０分前から起床予定時刻までに温熱部２で加熱を行っている。そのため、本実施形態では、起床予定時刻前のレム睡眠の時間帯において、体温より高い温度で加熱することになる。そのときに、自律神経が活性化されて血流が良い状態であるため、身体全体に熱が行き渡って体温が高くなる。
【００３５】
図４（ａ）に示す様に、本実施形態では、比較例と同様に、就寝前から体温が下がりはじめ、数時間かけて起床前までに低下するが、起床予定時刻の１２０分前から起床予定時刻までは比較例よりも体温が高くなる。本実施形態では、比較例よりも起床したときの体温を高くすることができるため、起床後の覚醒度が高くなる。
【００３６】
図５では、睡眠制御システム１の効果検証として、ＥＩＡ法を用いて、起床後の覚醒度の指標となる唾液中コルチゾール濃度の測定を行っている。睡眠後期において、人は起床に向けた準備の１つとして、副腎皮質ホルモンであるコルチゾールの分泌量を増やすという現象が見られる。コルチゾールは、糖を分解してエネルギー生産を促す作用がある。
【００３７】
図５に示す様に、本実施形態では、比較例より、起床時の唾液中コルチゾール濃度が高くなるため、起床後に活動するためのエネルギーをより多く利用できる状態となる。つまり、起床後の覚醒度が高くなっており、快適な起床状態を得ていることがわかる。
【００３８】
尚、本実施形態では、レム・ノンレム睡眠の周期が約９０分であることを前提として、
温熱部２は起床予定時刻の１２０分前から加熱を開始しているが、それに限定されない。レム・ノンレム睡眠の周期には個人差があり、様々な人に対応することを想定すると、６０〜１２０分周期という範囲を設けておく必要がある。そうすると、温熱部２で加熱を開始させる時刻として、起床予定時刻の９０〜１５０分前という範囲を設けておくことになる。その範囲内で、それぞれの人の個人差を考慮して、加熱開始時刻を設定すれば良い。
【００３９】
ここで、温熱部２において、起床予定時刻の９０〜１５０分前よりも早い時間から加熱を開始すると、体温が適切に低下しないことになり、中途覚醒が増加するなど睡眠効率が悪くなって、睡眠に支障を来すことになる。また、起床予定時刻の９０分前よりも遅い時間から加熱を開始すると、温熱部２で加熱している時間中にレム睡眠が発現しない場合が起こり得る。すなわち、快適な起床状態を得るためには、温熱部２は、起床予定時刻の９０〜１５０分前から加熱を開始する必要がある。
【００４０】
また、本実施形態では、温熱部２を４０℃で加熱しているが、それに限定されない。人の平均体温、及び低温火傷しないようにすることを考慮すると、３６〜４１℃の範囲で加熱すれば良い。
【００４１】
さらに、本実施形態では、温熱部２は、人体の肩口から足までの範囲に対応する様な大きさに形成しているが、それに限定されない。温熱部２が肩口から臀部までの上半身に及んでいれば良く、足には及んでいなくても良い。また、温熱部が頭部周辺に及んでいても良い。但し、頭部への加熱は不快に感じることがあり、中途覚醒等を引き起こし易く、睡眠の質を低下させる。
【００４２】
さらに、本実施形態では、温熱部２を人体の下方の位置となるように設置しているが、それに限定されない。本実施形態では、温熱部２が人体に接触して加熱を行っていれば、温熱部２を人体の下方の位置に限定する必要はなく、例えば、人体の上方の位置に配置しても良い。その場合に、掛布団の一部となるように温熱部２を配置しても良いし、掛布団の上方の位置、つまり人体及び温熱部２の間に掛布団が挟まれる様に、温熱部２を配置しても良い。人体及び温熱部２の間に掛布団等が挟まれていても、温熱部２は、掛布団等を介して、人体に接触して加熱していることになる。
【００４３】
但し、人体の上方の位置への配置は、温熱部２及び敷布団４の間に人体が位置するため、熱対流の原則から放熱しにくくなるため、人体周辺の温度上昇に繋がり、不快に感じる可能性がある。また、人体及び温熱部２の間に掛布団等が挟まれる様に、温熱部２を配置することは、人体に熱が伝わりにくくなるため、本発明の効果が十分に得られなくなる可能性がある。さらに、本実施形態では、温熱部２を敷布団４の上方の位置となるように設置しているが、それに限定されない。例えば、温熱部２を敷布団４の内部に設けても良い。
【００４４】
さらに、本実施形態では、温熱部２はニクロム線を用いた電熱線にて熱を発生させているが、それに限定されない。例えば遠赤外線を用いて加熱しても良い。
【００４５】
さらに、本実施形態では、温熱部２は就寝前後から起床予定時刻の９０〜１５０分前までの間は加熱を行っていないが、３３℃以下で加熱しても良い。３３℃以下であれば、就寝時の体温低下は阻害されにくいため、睡眠効率が悪くなるという問題が生じる可能性は低い。また、就寝後から例えば５分間は３３℃以上で加熱を行い、その後は起床予定時刻の９０〜１５０分前までの間は加熱を行わないか、３３℃以下で加熱しても良い。但し、加熱は就寝前に予め寝具から冷えを感じない程度に行い、睡眠中を通じて加熱を行わない方が中途覚醒を増加させないため、好ましい。
【００４６】
さらに、本実施形態では、起床した後に使用者が電源オフして睡眠制御システム１の動作を終了させているが、それに限定されない。自動的に電源オフとなっても良い。
【００４７】
〔実施形態２〕
実施形態２に係る睡眠制御システム１ａについて、図面を参照して説明すれば、以下の通りである。本実施形態は、睡眠制御システム１ａに振動センサ１０を設けていることが、実施形態１とは異なる。本実施形態では、実施形態１とは異なる部分を中心に説明を行う。
【００４８】
図６は、本実施形態に用いられる睡眠制御システム１ａの概略斜視図である。図７は、本実施形態に用いられる制御部３ａの構成を示すブロック図である。図８は、本実施形態に用いられる睡眠制御システム１ａの動作を説明するためのフローチャートである。
【００４９】
図６に示す様に、本実施形態の睡眠制御システム１ａは、温熱部２ａ内に振動センサ１０を設けている。振動センサ１０としては、ピエゾ素子を使ったものや、超音波ドップラーセンサ等を用いれば良い。振動センサ１０で、人体の寝返り等の振動を検知している。
【００５０】
図７に示す様に、本実施形態の制御部３ａ内の制御回路５ａは、振動センサ１０からの情報に基づいて中途覚醒時間等を分析し、温熱部２ａで加熱する時間及び温度を設定している。尚、振動センサ１０からの情報は、制御回路５ａ内の図示しないメモリに記憶される。
【００５１】
図８に示す様に、本実施形態の睡眠制御システム１ａは、Ｓ７ステップとして温熱部２ａで加熱が停止された後であり、かつＳ８ステップとして睡眠制御システム１ａの動作が終了となる前に、Ｓ７ａステップを設けている。
【００５２】
Ｓ７ａステップでは、制御回路５ａにおいて、振動センサ１０からの情報に基づいて、温熱部２ａで加熱する時間及び温度を設定している。そして、次回に睡眠制御システム１ａを動作させるときに、今回の加熱停止後に設定された時間及び温度に基づいて、温熱部２ａで加熱することになる。
【００５３】
そして、制御回路５ａでは、中途覚醒時間が睡眠時間全体の５％であることを基準として、それより多い場合には、温熱部２ａで加熱する時間を短くしたり、加熱温度を低くしたりする。
【００５４】
例えば、今回に温熱部２ａを起床予定時刻の１２０分前から４０℃で加熱して、振動センサ１０の情報に基づいた中途覚醒時間が睡眠時間全体の６％である場合には、次回に温熱部２ａを起床予定時刻の１２０分前から３９℃で加熱する。
【００５５】
その結果として、本実施形態の睡眠制御システム１ａでは、温度に関する感受性の個人差に対応して温度調整を行うため、睡眠を阻害せずとも確実に快適な起床状態を得ることができる。
【００５６】
尚、本実施形態の睡眠制御システム１ａでは、温熱部２ａ内に振動センサ１０を設けているが、それに限定されない。温熱部２ａ外に振動センサ１０を設けても良い。
【００５７】
また、本実施形態の睡眠制御システム１ａでは、Ｓ７ステップとして温熱部２ａで加熱が停止された後に、Ｓ７ａステップとして温熱部２ａで加熱する時間及び温度を設定しているが、それに限定されない。Ｓ７ステップの前にＳ７ａステップを設けても良いし、Ｓ７及びＳ７ａステップが同時であっても良い。
【００５８】
さらに、本実施形態の睡眠制御システム１ａでは、Ｓ７ａステップとして温熱部２ａで加熱する時間及び温度を設定し、次回に動作させるときにその設定内容に基づいて加熱しているが、それに限定されない。Ｓ６ステップとして制御回路５ａで現在時刻が起床予定時刻であるか否かを判定する前に、Ｓ７ａステップを設けて、今回の動作中にその設定内容に基づいて加熱しても良い。
【００５９】
〔実施形態３〕
実施形態３に係る睡眠制御システム１ｂについて、図面を参照して説明すれば、以下の通りである。本実施形態は、睡眠制御システム１ｂに音声器１１を設けていることが、実施形態１とは異なる。本実施形態では、実施形態１とは異なる部分を中心に説明を行う。
【００６０】
図９は、本実施形態に用いられる制御部３ｂの構成を示すブロック図である。図１０は、本実施形態に用いられる睡眠制御システム１ｂの動作を説明するためのフローチャートである。
【００６１】
図９に示す様に、本実施形態の睡眠制御システム１ｂは、制御部３ｂ内に音声器１１を設けている。そして、制御部３ｂ内の制御回路５ｂは、起床予定時刻に信号を発生させて、その信号に応じて音声器１１から起床予定時刻のアラームとなる音声が流れる。
【００６２】
図１０に示す様に、本実施形態の睡眠制御システム１ｂは、Ｓ６ステップとして制御回路５ｂで現在時刻が起床予定時刻であるか否かを判定した後であり、かつＳ７ステップとして温熱部２で加熱動作が停止される前に、Ｓ６ａステップを設けている。
【００６３】
Ｓ６ａステップでは、制御回路５ｂの信号に基づいて、起床予定時刻に音声器１１から起床予定時刻のアラームとなる音声が出力される。その結果として、本実施形態の睡眠制御システム１ｂでは、起床予定時刻に確実に目を覚ますことができると共に快適な起床状態を得ることができる。
【００６４】
尚、本実施形態の睡眠制御システム１ｂでは、Ｓ７ステップとして温熱部２ａで加熱が停止される前に、Ｓ６ａステップとして温熱部２ａで加熱する時間及び温度を設定しているが、それに限定されない。Ｓ７及びＳ６ａステップが同時であっても良い。
【００６５】
〔実施形態４〕
実施形態４に係る睡眠制御システム１について、図面を参照して説明すれば、以下の通りである。本実施形態は、起床予定時刻の０〜３０分前から起床予定時刻までの間に、加熱部２で加熱を行わないことが、実施形態１とは異なる。本実施形態では、実施形態１とは異なる部分を中心に説明を行う。
【００６６】
図１１は、本実施形態に用いられる加熱部２の加熱温度の変化を示す図である。図１１では、温熱部２の加熱温度の変化について加熱開始から起床予定時刻までを示している。
【００６７】
図１１に示す様に、本実施形態の睡眠制御システム１において、起床予定時刻の１２０分前から起床予定時刻の１５分前までに加熱温度を４０℃として加熱部２で加熱を行っている。そして、実施形態１とは異なって、起床予定時刻の１５分前から起床予定時刻までの間に加熱部２で加熱を行っていない。
【００６８】
本実施形態において、起床予定時刻の１２０分前から加熱部２で加熱を行うことにより、起床したときの体温を高くして、起床後の覚醒度を高くすることは、実施形態１と同様である。ここで、起床前等の睡眠深度が浅くなるタイミングでは、加熱部２の加熱を知覚し易くなるため、季節によっては暑いと感じることによる不快感、及び中途覚醒の増加による不眠感に繋がる場合がある。そこで、本実施形態では、起床予定時刻の１５分前から加熱部２での加熱を停止することにより、上記のような不快感、不眠感の発現を防いでいる。
【００６９】
尚、起床予定時刻の１５分前から起床予定時刻までの間にレム睡眠の時間帯となる可能性があるが、その場合でも、レム睡眠の発現する周期が９０分周期であることから、その１つ前のレム睡眠の時間帯に加熱を行っているため、起床後の覚醒度を高くする効果は得られていると考えて良い。
【００７０】
また、本実施形態では、睡眠深度が浅くなるタイミングにおいて、不快感、不眠感の発現を防ぐため、起床予定時刻の１５分前から加熱部２での加熱を停止しているが、それに限定されない。起床予定時刻の０〜３０分前から加熱部２での加熱を停止すれば良い。
【００７１】
〔実施形態５〕
実施形態５に係る睡眠制御システム１について、図面を参照して説明すれば、以下の通りである。本実施形態は、起床予定時刻の０〜３０分前から起床予定時刻までの間に、加熱部２で３６℃より低い加熱温度の加熱を行うことが、実施形態１とは異なる。本実施形態では、実施形態１とは異なる部分を中心に説明を行う。
【００７２】
図１２は、本実施形態に用いられる加熱部２の加熱温度の変化を示す図である。図１２では、温熱部２の加熱温度の変化について加熱開始から起床予定時刻までを示している。図１２（ａ）は、起床予定時刻の１５分前から起床予定時刻までの間に、加熱部２で一定の加熱温度である３２℃の加熱を行うことを示している。図１２（ｂ）は、起床予定時刻の１５分前から起床予定時刻までの間に、時間経過に従って温度低下量が増大する様に加熱部２で加熱温度を４０℃から３２℃へ低下させる加熱を行うことを示している。図１２（ｃ）は、起床予定時刻の１５分前から起床予定時刻までの間に、時間経過に従って温度低下量が減少する様に加熱部２で加熱温度を４０℃から３２℃へ低下させる加熱を行うことを示している。
【００７３】
図１２に示す様に、実施形態１と同様に、起床予定時刻の１２０分前から起床予定時刻の１５分前までに加熱温度を４０℃として加熱部２で加熱を行っている。そして、図１２（ａ）では、実施形態１とは異なって、起床予定時刻の１５分前から起床予定時刻までの間に、加熱部２で一定の加熱温度である３２℃の加熱を行っている。図１２（ｂ）では、実施形態１とは異なって、起床予定時刻の１５分前から起床予定時刻までの間に、時間経過に従って温度低下量が増大する様に加熱部２で加熱温度を４０℃から３２℃へ低下させる加熱を行っている。図１２（ｃ）では、実施形態１とは異なって、起床予定時刻の１５分前から起床予定時刻までの間に、時間経過に従って温度低下量が減少する様に加熱部２で加熱温度を４０℃から３２℃へ低下させる加熱を行っている。
【００７４】
本実施形態において、起床予定時刻の１２０分前から加熱部２で加熱を行うことにより、起床したときの体温を高くして、起床後の覚醒度を高くすることは、実施形態１と同様である。ここで、起床前等の睡眠深度が浅くなるタイミングでは、加熱部２の加熱を知覚し易くなるため、季節によっては暑いと感じることによる不快感、及び中途覚醒の増加による不眠感に繋がる場合がある。
【００７５】
そこで、本実施形態では、起床予定時刻の１５分前から加熱部２での加熱温度を低くすることにより、不快感、不眠感の発現を防いでいる。起床予定時刻において、加熱部２での加熱温度を３２℃とすることにより、人の平均体温より低い温度であるため、不快感、不眠感の発現を防ぐことが可能となる。また、加熱部２での加熱を停止させずに３２℃の加熱温度とすることにより、体温の極端な低下を防ぎ１２０分前からの加熱による快適起床効果がその損なわれることを防ぐことができ、起床後の覚醒度を高くする効果は得やすくなる。
【００７６】
尚、起床予定時刻の１５分前から起床予定時刻までの間にレム睡眠の時間帯となる可能性があるが、その場合でも、レム睡眠の発現する周期が９０分周期であることから、その１つ前のレム睡眠の時間帯に加熱を行っているため、起床後の覚醒度を高くする効果は得られていると考えて良い。
【００７７】
また、本実施形態では、睡眠深度が浅くなるタイミングにおいて、不快感、不眠感の発現を防ぐため、起床予定時刻の１５分前から加熱部２での加熱温度を低下させているが、それに限定されない。起床予定時刻の０〜３０分前から加熱部２での加熱温度を低下させれば良い。
【００７８】
さらに、本実施形態では、人の平均体温を考慮して３６℃より低い加熱温度とするため、起床予定時刻において、加熱部２での加熱温度を３２℃に低下させているが、それに限定されない。人の平均体温より低くて、心地良い程度の温かさを保つことを考慮すれば、３１℃以上３６℃未満の加熱温度をとすれば良い。
【００７９】
〔実施形態６〕
実施形態６に係る睡眠制御システム１について、図面を参照して説明すれば、以下の通りである。本実施形態は、起床予定時刻の９０〜１５０分前において３６〜４１℃の加熱温度とし、その時点から時間経過に応じて徐々に温度を低下させて、起床予定時刻において３６℃より低い加熱温度となる様に加熱部２で加熱を行うことが、実施形態１とは異なる。本実施形態では、実施形態１とは異なる部分を中心に説明を行う。
【００８０】
図１３は、本実施形態に用いられる加熱部２の加熱温度の変化を示す図である。図１３では、温熱部２の加熱温度の変化について加熱開始から起床予定時刻までを示している。図１３（ａ）は、起床予定時刻の１２０分前から起床予定時刻までの間に、時間経過に従って温度低下量が一定となる様に加熱部２で加熱温度を４０℃から３５℃へ低下させる加熱を行うことを示している。図１３（ｂ）は、起床予定時刻の１２０分前から起床予定時刻までの間に、時間経過に従って温度低下量が増大する様に加熱部２で加熱温度を４０℃から３５℃へ低下させる加熱を行うことを示している。図１３（ｃ）は、起床予定時刻の１２０分前から起床予定時刻までの間に、時間経過に従って温度低下量が減少する様に加熱部２で加熱温度を４０℃から３５℃へ低下させる加熱を行うことを示している。
【００８１】
図１３に示す様に、実施形態１とは異なって、起床予定時刻の１２０分前において４０℃の加熱温度とし、その時点から時間経過に応じて徐々に温度を低下させて、起床予定時刻において３５℃の加熱温度となる様に加熱部２で加熱を行っている。
【００８２】
本実施形態において、起床予定時刻の１２０分前から加熱部２で加熱を行うことにより、起床したときの体温を高くして、起床後の覚醒度を高くすることは、実施形態１と同様である。尚、本実施形態では、起床予定時刻の１２０分前から徐々に温度を低下させているが、起床予定時刻の０〜３０分前までは加熱温度を３６℃以上としており、起床後の覚醒度を高くする効果は得られていると考えてよい。ここで、起床前等の睡眠深度が浅くなるタイミングでは、加熱部２の加熱を知覚し易くなるため、季節によっては暑いと感じて、不快感、不眠感、及び中途覚醒の増加に繋がる場合がある。
【００８３】
そこで、本実施形態では、起床予定時刻の１２０前から徐々に温度を低下させて、起床予定時刻で加熱部２での加熱温度を低くすることにより、不快感、不眠感の発現を防いでいる。起床予定時刻において、加熱部２での加熱温度を３５℃とすることにより、人の平均体温より低い温度であるため、不快感、不眠感の発現を防ぐことが可能となる。また、加熱部２での加熱を停止させずに３５℃の加熱温度とすることにより体温の極端な低下を防ぎ１２０分前からの加熱による快適起床効果がその損なわれることを防ぐことができ、起床後の覚醒度を高くする効果は得やすくなる。
【００８４】
尚、本実施形態では、人の平均体温を考慮して３６℃より低い加熱温度とするため、起床予定時刻において、加熱部２での加熱温度を３５℃に低下させているが、それに限定されない。人の平均体温より低くて、心地良い程度の温かさを保つことを考慮すれば、３１℃以上３６℃未満の加熱温度をとすれば良い。
【００８５】
以上、実施形態１〜６について具体的に説明を行ったが、本発明はそれらに限定されるものではない。上述した６つ実施形態にそれぞれ開示された技術的手段を適宜組み合せて得られる実施形態についても本発明の技術的範囲に含まれる。
【産業上の利用可能性】
【００８６】
本発明に係る睡眠制御システムは、快適に起床させるための睡眠制御システム全般に広く適用することができる。
【符号の説明】
【００８７】
１  睡眠制御システム
２  温熱部
３  制御部
４  敷布団
５  制御回路
６  駆動回路
７  クロック
８  入力器
９  表示器
１０  振動センサ
１１  音声器
【図１】
0005937184.tif 000002
【図２】
0005937184.tif 000003
【図３】
0005937184.tif 000004
【図４】
0005937184.tif 000005
【図５】
0005937184.tif 000006
【図６】
0005937184.tif 000007
【図７】
0005937184.tif 000008
【図８】
0005937184.tif 000009
【図９】
0005937184.tif 000010
【図１０】
0005937184.tif 000011
【図１１】
0005937184.tif 000012
【図１２】
0005937184.tif 000013
【図１３】
0005937184.tif 000014
【図１４】
0005937184.tif 000015
【図１５】
0005937184.tif 000016